(57)【要約】【課題】高い防水性を有し、成形工程において成形専用の型を要しない浴室ユニットを提供すること。【解決手段】浴室ユニット１を、その浴室床１０の防水領域１７を覆うように、周縁部に起立部１９が形成されＦＲＰ製の防水パン１８と、防水パン１８の外周を囲む剛体の枠部材（基盤枠部材２１、枠部材２２）とを備えた構造とする。【選択図】図１Ａ
2016089517.tif 000002
【特許請求の範囲】
【請求項１】
浴室床の防水領域を覆うように設けられたＦＲＰ製の防水パンと、
前記防水パンの外周を囲むように設けられた枠部材と、
を備えた浴室ユニット。
【請求項２】
前記防水パンは、周縁部に起立部が形成されている請求項１に記載の浴室ユニット。
【請求項３】
前記防水パンは、当該浴室ユニットの壁パネル下部を位置決めする凸部が形成されている請求項１又は２に記載の浴室ユニット。
【発明の詳細な説明】
【技術分野】
【０００１】
本発明は、浴室ユニットに関し、詳細には、防水パンを有する浴室ユニットに関する。
【背景技術】
【０００２】
従来、コンクリートやモルタル等（以下、コンクリート等という。）の上にタイルを張り付けてタイル貼りとした浴室床を備える浴室ユニットが知られている。コンクリート等には種々あり、耐水性が比較的高くないものも存在する。そのような場合、浴室床の経年変化によって、浴室床上面のタイル或いは目地部を通して下部のコンクリート等に水が侵入することがある。このような水の侵入が生じると、コンクリート等が劣化して浴室床上面に凹凸が発生し、浴室ユニットの耐久性が低下し、ひいては漏水が発生する虞がある。
【０００３】
このため、浴室ユニットの防水について、種々の技術が提案されている。例えば、浴室ユニットのＰＣコンクリート製の床版の上面に、ＦＲＰ製の防水パンを設ける技術が提案されている（特許文献１参照）。
【先行技術文献】
【特許文献】
【０００４】
【特許文献１】特開平６−１７４６０号公報
【発明の概要】
【発明が解決しようとする課題】
【０００５】
しかしながら、特許文献１所載の技術では、ＰＣコンクリート製の床版上に設けられるＦＲＰ製の防水パンは、ＰＣコンクリート製の床版の上面にリブが埋設される構造を有するため、その成形工程で専用の成形型が必要となる。また、工場の製造ラインで上記成形工程に至る前段階において、大型の資材である防水パンを保管しておく場所の確保が必要とされる。
【０００６】
本発明は、上述のような状況に鑑みてなされたものであり、高い防水性を有し、成形工程において成形専用の型を要しない浴室ユニットを提供することを目的とする。
【課題を解決するための手段】
【０００７】
上記目的を達成するべく、ここに、次のような技術を提案する。
【０００８】
浴室床（例えば、後述の浴室床１０）の防水領域（例えば、後述の防水領域１７）を覆うように設けられたＦＲＰ製の防水パン（例えば、後述の防水パン１８）と、
前記防水パンの外周を囲むように設けられた枠部材（例えば、後述の基盤枠部材２１、枠部材２２）と、
を備えた浴室ユニット（例えば、後述の浴室ユニット１）を提案する。
【０００９】
上記において、前記防水パンは、周縁部に起立部（例えば、後述の起立部１９）が形成されていることが好ましい。
【００１０】
また、上記において、前記防水パンは、当該浴室ユニットの壁パネル（例えば、後述の壁パネル１２）下部を位置決めする凸部が形成されていることが好ましい。
【発明の効果】
【００１１】
本発明によれば、高い防水性を有し、成形工程において成形専用の型を要しない浴室ユニットを提供することができる。
【図面の簡単な説明】
【００１２】
【図１Ａ】本発明の一実施形態としての浴室ユニットの構造（居室側）を示す図である。
【図１Ｂ】本発明の一実施形態としての浴室ユニットの構造（外壁側）を示す図である。
【図２】本発明の他の実施形態としての浴室ユニットの構造を示す図である。
【発明を実施するための形態】
【００１３】
以下、図面を参照しながら本発明の実施形態について詳述することにより本発明を明らかにする。
【００１４】
図１Ａは、本発明の一実施形態としての浴室ユニットの構造を示す図である。図１Ａは、特に、浴室ユニット１のうち、壁パネルを隔てて居室１００と接する側の構造を示している。
また、図１Ｂは、本発明の一実施形態としての浴室ユニットの構造を示す図である。図１Ｂは、特に、浴室ユニット１のうち、図１Ａとは反対側の屋外（外壁）に臨む側の構造を示している。
【００１５】
浴室ユニット１は、平面形状が方形の浴室床１０の上方に、この浴室床１０の四周の所定部に設けられた隅柱や間柱等の柱部材や、梁部材を構成する角型鋼１１、１１が角型に組み合わされた骨組みが構成されている。この骨組みの各所定部に複数の壁パネル１２及び天井パネル１３が取り付けられて、出入口（不図示）を除く外周が閉じられた概略直方体の内部空間を構成している。
【００１６】
浴室床１０は、躯体スラブ１４上の浴室ユニット据付面１５の位置に浴室床１０の主構造体としての鉄筋コンクリート盤１６が配置されている。
鉄筋コンクリート盤１６の上面側は、この浴室床１０の防水領域１７を構成し、本例では、この防水領域１７は鉄筋コンクリート盤１６の上面側全領域を占める。
また、防水領域１７覆うようにＦＲＰ製の防水パン１８が配されている。防水パン１８は周縁部に水返しとしての起立部１９が形成されている。
【００１７】
尚、本例では、鉄筋コンクリート盤１６の下面側に、躯体スラブ１４の浴室ユニット据付面１５に対向するようにしてＦＲＰ製の防水層２０が配設されている。
また、浴室床１０のＦＲＰ製の防水パン１８上には接着剤２３によって床タイル２４が縦横に張り詰められている。同様に、壁パネル１２にも壁タイル２４ａが縦横に張り詰められている。
【００１８】
防水パン１８の外周を囲むように剛体である枠部材が設けられている。この場合、枠部材は鉄筋コンクリート盤１６の外周を囲む相対的に大寸の角型鋼でなる基盤枠部材２１と、その上に基盤枠部材２１の外周面と自己の外面とが面一となるようにして配された相対的に小寸の角型鋼でなる枠部材２２とが接合されて構成されている。
【００１９】
枠部材２２内側面に、鋼製の板材でなる固定部材としてのベースアングル２５がねじ２６によって止め付けられている。ベースアングル２５は、ねじ止めされる位置から枠部材２２の面に沿って垂下する固定用起立部２５ａと、床タイル２４上面に沿った水平板部２５ｂと、水平板部２５ｂの固定用起立部２５ａとは反対側の辺から起立した位置決め部２５ｃを有する。
【００２０】
ベースアングル２５の位置決め部２５ｃは、壁パネル１２の下部裏面にねじ止めされた金属製の板状片であるバックハンガー２７に弾性的に接触して、上方がねじ止めされた壁パネル１２の下部で位置決め作用をする。
【００２１】
図１Ａのとおり、浴室ユニット１が、表面にクロス２８が張られた間仕切り壁２９を隔てて居室１００と接する側の浴室床１０の部分は、総じてフラットである。
一方、図１Ｂのとおり、浴室ユニット１の、図１Ａとは反対側の部分には、シャワーエリア３１が設けられている。
シャワーエリア３１は、浴室床１０のフラットな部分から隅部に設けられた排水ドレン１０ｄ側に向けて傾斜した窪みが形成されている。この窪みは鉄筋コンクリート盤１６が排水ドレン１０ｄ側に向けて肉薄となる部分によって構成されるが、この部分も当然に防水領域１７であり、ＦＲＰ製の防水パン１８で覆われ、その上に接着剤２３によって床タイル２４が張られている。
【００２２】
以上、図１Ａ及び図１Ｂを参照して詳述した浴室ユニット１の構造では、浴室床１０の防水領域１７を覆うように設けられたＦＲＰ製の防水パン１８と、防水パン１８の外周を囲むように設けられた基盤枠部材２１及び枠部材２２を設けた。これにより、防水領域１７を覆うようにＦＲＰ製の防水パン１８を形成するに際して、枠部材である基盤枠部材２１、枠部材２２を型として利用して、これを形成することができる。
【００２３】
成形工程の概略は、例えば、枠部材（２１，２２）を型として利用し、固化した鉄筋コンクリート盤１６である下地板上に、ガラス繊維からなるガラスマットにポリエステル樹脂等の樹脂を含浸させた強化プラスチック材を積層する。次いで、ゲルコートを塗布してこれを加熱して硬化させることで、ＦＲＰ製の防水パン１８を形成する。このとき、枠部材（２１，２２）の内周壁に沿って強化プラスチック材の外周部を起立させ、この起立部にもゲルコートを塗布し、この状態で硬化させることで、枠部材（２１，２２）に沿って防水パン１８の水返しとしての起立部１９が形成される。
【００２４】
従って、既述の従来技術におけるような成形型が別途に必要とされず、且つ、工事の過程では製作用の型としても機能する枠部材が、そのまま浴室ユニット１の構造部分を構成するので無駄がない。また、成形型が不要であるため、建築プランに応じて安価で短時間に浴室ユニットを製造できる。
【００２５】
また、図１Ａ及び図１Ｂの実施形態では、上述のようにして、ＦＲＰ製の防水パン１８が浴室床１０上を全面的に覆うため、経年変化等によって床タイル２４の下まで水が浸み込むようなことがあっても、防水パン１８によって、鉄筋コンクリート盤１６にまで達することが効果的に阻止される。このため、鉄筋コンクリート盤１６が浸食されない。
また、防水パン１８には水返しとしての起立部１９が形成されているため、仮に、浴室ユニット１の浴室床１０上に一時的に滞留した水が壁パネル１２下部から外部に滲み出すようなことがあっても、起立部１９で阻止され、外部への漏水が抑止される。起立部１９の内側に多少水が溜まっても、自然蒸発するため、別段の排水手段等は必要ない。
【００２６】
更に、防水パン１８は、後述の防水パン１８ａとは異なり、壁パネル１２の位置決めには関与しない構造である。そのため、防水パン１８が敷設された領域内で壁パネル１２の位置を変更しても、防水効果に影響を与えないため、レイアウトの自由度が確保される。
【００２７】
図２は、本発明の他の実施形態としての浴室ユニットの構造を示す図である。
図２において、既述の図１Ａとの対応部は同一の符号により示し、個々の部位の説明は適宜省略する。尚、図２の実施形態としての浴室ユニット１ａは、図１Ａとの対応部について、変更点があるが、図１Ｂの部分については構成に変わりがない。
【００２８】
図２の実施形態における図１Ａとの構成上の相違点は、主として、ベースアングル２５周りの防水パンの形状である。
即ち、図２の防水パン１８ａは、ベースアングル２５の上面側を被覆する如く成形されている。即ち、防水パン１８ａの起立部１９は、ベースアングル２５の固定用起立部２５ａの外面に沿って形成されている。また、ベースアングル２５の位置決め部２５ｃの両面と先端を覆って折曲がるようにして凸部３２が形成されている。そして、起立部１９と凸部３２との間はベースアングル２５の水平板部２５ｂ上面に沿う溝部３３によって繋がっている。
尚、防水パン１８ａの上述した部分以外の領域は、図１Ａ及び図１Ｂを参照して説明した防水パン１８と変わりがない。
【００２９】
図２の実施形態における、図１Ａとの、その他の相違点は、床タイル２４が壁パネル１２が立上がる直前の位置で尽き、壁パネル１２の下端が防水パン１８ａに達している点である。壁パネル１２の下端と防水パン１８ａとの間には、適宜防水シールが施される。
また、壁パネル１２下部に設けられたバックハンガー２７が、防水パン１８ａの上述した凸部３２に弾性的に接触して、壁パネル１２下部が位置決めされる。
【００３０】
防水パン１８ａの成形工程は、防水パン１８について説明したものと大凡において変わりがないが、予め枠体２２に取付けられたベースアングル２５の外面に沿ってＦＲＰ製の防水パン１８ａが形成され、その過程で、起立部１９及び凸部３２が共に形成される。従って、凸部３２は、壁パネル１２下部の位置決め部材であるが、それ自体がＦＲＰ層で防水コートを施されたものとして形成される。このため、凸部３２は、位置決め部材として機能すると共に漏水抑止のためにも効果的に機能する。
【００３１】
上述した図２の実施形態でも、ＦＲＰ製の防水パン１８ａが浴室床１０上を全面的に覆うため、経年変化等によって床タイル２４の下まで水が浸み込むようなことがあっても、防水パン１８ａによって、鉄筋コンクリート盤１６にまで達することが効果的に阻止される。このため、鉄筋コンクリート盤１６が浸食されない。
また、防水パン１８ａには水返しとしての起立部１９が形成されているため、仮に、浴室ユニット１の浴室床１０上に一時的に滞留した水が壁パネル１２下部から外部に滲み出すようなことがあっても、起立部１９で阻止され、外部への漏水が抑止される。起立部１９の内側に多少水が溜まっても、自然蒸発するため、別段の排水手段等は必要ない。
特に、図２の場合は、壁パネル１２下部から外部に水が滲み出たとしても、ＦＲＰ層で防水コートされた凸部３２によって漏出の直近位置から漏水の拡大が阻止され、更に、起立部１９でも外部への漏水が阻止されるため、漏水抑止の効果が大きい。
【００３２】
以上、図面を参照して本発明の実施形態について詳述したが、本発明はこれに限定されるものではなく、種々変形変更して実施することができる。
例えば、上述の例では、防水パン（１８、１８ａ）を形成するについて、コンクリート盤１６を下地として行ったが、これに替えて、枠部材（２１、２２）内に適切に位置決め設置したコンパネを下地として、この上に、上述同様に防水パンを形成してもよい。この場合、コンパネは必ずしも既述のコンクリート盤１６と同様のシャワーエリア３１のような窪みを有するものでなく、平板状のものを、排水ドレン側に向けて適切な勾配を有する姿勢で枠部材（２１、２２）内に位置決め設置してもよい。
【符号の説明】
【００３３】
１      浴室ユニット
１０      浴室床
１１      角型鋼
１２      壁パネル
１３      天井パネル
１６      鉄筋コンクリート盤
１７      防水領域
１８      防水パン
１８ａ    防水パン
１９      起立部
２０      防水層
２１      基盤枠部材
２２      枠部材
２５      ベースアングル
２７      バックハンガー
３１      シャワーエリア
３２      凸部
【図１Ａ】
2016089517.tif 000003
【図１Ｂ】
2016089517.tif 000004
【図２】
2016089517.tif 000005